(57)【特許請求の範囲】
【請求項１】
空芯コイル搭載用回路基板において、
該回路基板の端面の一部に該空芯コイルのリード線を通す２箇所の溝を設け、一方の溝は該回路基板の一縁辺部から該空芯コイルの内周部の位置まで切り込み、他方の溝は該回路基板の一縁辺部から該空芯コイルの外周部の位置まで切り込まれ、該空芯コイルの巻線が延長されたリード線を係止するための舌片状の係止片を有し、該空芯コイルのリード線を接続する該回路基板のランド面は該空芯コイルのリード線の引き出し部の該溝からリード線を係止する係止片の方向に沿って設けたことを特徴とする空芯コイル搭載用回路基板。
【請求項２】
前記係止片は該回路基板の一縁辺部に突起を設けたことを特徴とする請求項１記載の空芯コイル搭載用回路基板。
【発明の詳細な説明】
【０００１】
【発明の属する技術分野】
本発明は、各種電子機器に利用される空芯コイルと回路基板の接続に関するものである。
【０００２】
【従来の技術】
近年の電子機器、特に携帯型電子機器においては、小型化はもとより薄型化軽量化が主流となってきており、これに使用される電子部品もさらなる薄型化、小型化、軽量化が要求されてきている。特に、ビデオカメラ、コードレス電話機、携帯電話器、パーソナルコンピュータなどの携帯用電子機器および携帯用電子機器に用いられる非接触充電器等は、薄型化、小型化、軽量化が重要視されてきている。
【０００３】
これらのうち、空芯コイルは非接触充電器に使用される電子部品の中でも特に多用されてきている。
【０００４】
この携帯用電子機器に用いられる非接触充電器について図４の概略断面図で説明する。非接触充電器は、充電部Ａと被充電部Ｂとから構成される。携帯用電子機器の充電部Ａは、ＡＣ電源に接続される入力コード(図示せず)を備え、外装ケース１０Ａの表面に被充電部の外装ケース１０Ｂを保持する保持部１５を備え、内部は回路基板３に空芯コイルである１次側コイル１と回路を構成する他の電子部品２を有し、１次側コイル１は保持部１５面に近接配置される。被充電部Ｂは、外装ケース１０Ｂを備え、充電部の外装ケース１０Ａの保持部１５に近接して上記１次側コイル１から電磁誘導により充電電力の供給を受ける空芯コイルの２次側コイル１１を設けて、非接触で充電できるように構成されている。１２は２次側コイル１１を設けた、被充電部側の回路基板である。
【０００５】
このように携帯用電子機器の非接触充電装置には１次側コイル、２次側コイルとして、軽量化、薄型化のためにフェライトコア等を取り除いた空芯コイルが組み込まれ利用されてきている。
図５は空芯コイルを取付けた充電部Ａの回路基板３である。底面側３ｂには回路パタ−ンが印刷される。上面側３ａには空芯コイル１と回路を構成する他の電子部品２が搭載され、空芯コイル１の巻き始め及び巻き終わりのリード線１ａ、１ｂが回路基板の所定の穴８ａ、８ｂに通し固定され、底面側では回路パターンのそれぞれのランド９ａ、９ｂに直接半田付けすることにより電気的に接続される。
【０００６】
【発明が解決しようとする課題】
しかしながら、これらの空芯コイルは、絶縁被膜処理された細線で巻線されており、巻線の両端から引出したリード線から絶縁被膜を剥離させることが困難なことから、剥離せず、直接回路基板のランドに半田付けすることで回路に接続している。このように、絶縁被膜処理された巻線リード線を回路基板の穴に通し、直接回路基板に半田付けすることは、穴通し作業が極めて作業効率が悪く、断線する危険性が高い等、はんだ接続の信頼性の面でも弱いといった問題があった。本発明はこれらの問題を解決することを目的とする。
【０００７】
【課題を解決するための手段】
前記課題を解決するために、本発明は、空芯コイル搭載用回路基板において、空芯コイルの巻線が延長されたリード線を係止するための舌片状の係止片または回路基板の一縁辺部に設けた突起状の係止片を有し、空芯コイルのリード線を接続する回路基板のランド面は空芯コイルのリード線の引き出し部からリード線を係止する係止片の方向に広げることを特徴とする。
【０００８】
さらに、本発明の空芯コイル搭載用回路基板は、回路基板の一縁辺部に空芯コイルのリード線を通す２箇所の溝を設け、一方の溝は回路基板の一縁辺部から空芯コイルの内周部の位置まで切り込み、他方の溝は回路基板の一縁辺部から空芯コイルの外周部の位置まで切り込むことを特徴とする。
【０００９】
【発明の実施の形態】
本発明の空芯コイル搭載用回路基板は、空芯コイルの巻線が延長されたリード線を係止するための舌片状の係止片または回路基板の一縁辺部に設けた突起状の係止片を有し、空芯コイルのリード線を接続する回路基板のランドは空芯コイルのリード線の引き出し部からリード線を係止する係止片の方向に沿って設けることにより、リード線の位置決めを行いかつリード線の半田付け面積を広げて半田付けの信頼性をあげることができる。
【００１０】
さらに、回路基板の一縁辺部に空芯コイルのリード線を通す２箇所の溝を設け、一方の溝は回路基板の一縁辺部から空芯コイルの内周部の位置まで切り込み、他方の溝は回路基板の一縁辺部から空芯コイルの外周部の位置まで切り込むことにより、巻き始めと巻き終わりの絶縁を確保するとともにリード線の引き回し作業が容易となり、作業効率が改善できる。
【００１１】
【実施例】
以下、図１から図３を参照しながら、本発明による空芯コイル搭載用回路基板について、一実施例を説明する。図１乃至図３において、従来例の図４、図５と同じものは同じ符合を用いた。
【００１２】
図１、図２において、回路基板３には、空芯コイルを除く回路を構成する他の電子部品２が既に取付けられている。空芯コイル１のリード線を仮固定し、リード線の半田付け作業を容易にするために係止する舌片状の係止片４は、回路基板の一縁辺部に切欠きを設けて作られている。図３は他の実施例として、回路基板の一縁辺部に根元がくびれた長方形の突起を設けた係止片７である。なお、係止片の形状はこの実施例だけでなく台形形状、逆三角形形状、円型形状、先端に割を入れて挟む形状等を使用しても良い。
【００１３】
回路基板３にはまた、空芯コイル１の巻き始め、巻き終わりのリード線を容易に通すことのできるそれぞれの切欠き溝５ａ、５ｂを設けてある。切欠き溝５ａは空芯コイル１の巻き始めリード線１ａが内周部から引き出されていることから、回路基板の一縁辺部から空芯コイル１の内周部の位置まで切り込まれている。切欠き溝５ｂは空芯コイル１の巻き終わりリード線１ｂが外周部から引き出されていることから、回路基板の一縁辺部から空芯コイル１の外周部の位置まで切り込んである。これは、電力が、ＡＣ電源から供給されるため、空芯コイル１の巻き始め、巻き終わり間には高電圧が加わるので、それぞれのリード線が交差しないようにして絶縁を確保するためである。
【００１４】
さらに、空芯コイル１の巻き始め、巻き終わりのリード線を回路基板と接続するそれぞれのランド６ａ、６ｂは空芯コイルのリード線の引き出し部からリード線を係止する係止片４の方向に長く広げるような長方形に形成してある。これにより、空芯コイルのリード線とランドの半田面を広くし、半田付けの信頼性を上げることができる。なお、ランド面の形状は長方形でなく、長円形、楕円形、長楕円形のようにリード線の半田面が広くとれる形が良い。
【００１５】
空芯コイルを取付ける作業としては、まず、空芯コイル１の巻き始めリード線１ａと巻き終わりリード線１ｂとをそれぞれの切欠き溝５ａ、５ｂから通した後、接着剤等で所定の位置に固定する。そして、空芯コイル１の巻き始めリード線１ａと巻き終わりリード線１ｂとを舌片状の係止片４にそれぞれからげる、または巻回する。そして、それぞれのランド６ａ、６ｂ面上に接する空芯コイル１の巻き始めリード線１ａと巻き終わりリード線１ｂとをそれぞれ半田付けし、回路基板と接続する。そして、係止片４にからげられた空芯コイル１の巻き始めリード線１ａと巻き終わりリード線１ｂとを係止片４から取り外し、それぞれのランド６ａ、６ｂ半田部で切り、取り除くことにより空芯コイルの取付け作業を終える。
【００１６】
【発明の効果】
このように、本発明の空芯コイル搭載用回路基板は、舌片状の係止片にからげ固定した空芯コイルのリード線に沿ってリード線を接続するランド面を広げることにより、リード線の位置決めを容易にし、半田付けの信頼性をあげることができる。そして、回路基板に空芯コイルのリード線を通す２箇所の切欠き溝を設けることにより、巻き始めと巻き終わりの絶縁を確保するとともにリード線の引き回し作業が容易となり、空芯コイルの取付作業効率が改善できる空芯コイル搭載用回路基板を提供すことができる。
【図面の簡単な説明】
【図１】本発明の空芯コイル搭載用回路基板の一実施例
【図２】本発明の空芯コイル搭載用回路基板の作業例
【図３】本発明の空芯コイル搭載用回路基板の他の実施例
【図４】非接触充電器の断面図
【図５】従来の空芯コイル搭載用回路基板の一例
【符号の説明】
１  空芯コイル
１ａ、１ｂ  空芯コイルのリード線
２  回路を形成する電子部品
３  回路基板
４  係止片
５ａ、５ｂ  溝
６ａ、６ｂ  ランド
【図１】
0003801850.tif 000002
【図２】
0003801850.tif 000003
【図３】
0003801850.tif 000004
【図４】
0003801850.tif 000005
【図５】
0003801850.tif 000006